(57)【要約】【構成】導光板３の上面に配置した光学シート類２の入光側の隅部１１をゴムホルダー４の庇１２で押さえ込み光学シート類２の位置ズレを防止する。【効果】光学シート類と導光板、ケースの固定方法に両面テープを使わない手段がとれるので製品コストを低減することができる。また両面テープ廃止に伴い、今まで行っていた両面テープ貼り位置ズレ等による貼り替え作業がなくなる為に製造工程内での歩留りを向上することができる。【選択図】      図１
2004319294.tif 000002
【特許請求の範囲】
【請求項１】
少なくとも、ケース、導光板、線状ランプ、ゴムホルダー、光学シートで構成されるバックライトであって、ケースには押さえシートと係合する突起部を設け、ケースに、少なくとも１つの側縁に沿って両端にゴムホルダーを取り付けた線状ランプを配置した導光板と押さえシートを組込むにあたり、ゴムホルダーに導光板上面に被さる庇を設け、庇と導光板の間に押さえシートを組込むことを特徴とするバックライト。
【請求項２】
押さえシートは光学シートであることを特徴とする請求項１記載のバックライト。
【発明の詳細な説明】
【０００１】
【発明の属する技術分野】
本発明は線状ランプを有するバックライトに関するものである。
【０００２】
【従来の技術】
液晶表示装置は受光型の表示装置であるため、一般に液晶表示素子を背面から照明するバックライトを備えている。バックライトには、導光板と線状ランプで構成されるサイドエッジ型バックライトと、線状ランプを液晶表示素子の背面に設置する直下型バックライトがある。最近では、光源として線状ランプの代わりに発光ダイオードを使用するバックライトも増えてきているが、本発明は線状ランプを使用したサイドエッジ型バックライトに関するものである。
【０００３】
サイドエッジ型のバックライトは、アクリル板等の透明板で形成された導光板の少なくとも１つの側縁に沿って線状ランプ（通常は冷陰極蛍光管）を配置し、線状ランプからの光を導光板に導入し、導光板の内部を光が伝播する途上で経路変更させ、上方に配置した液晶表示素子を裏面から照明するもので、液晶表示装置を薄型化できるため多用されている。前記バックライトは、線状ランプ、導光板以外に、導光板の上面には拡散シート、プリズムシート、下面には反射シート等の光学シートを配置して構成されている。
【０００４】
バックライトにおける光学シート類の固定方法としては、蓋の役目を担うケースにて押さえる方式、受け側ケースの一部にツメ収納用の穴を形成し光学シート類に引っ掛け固定用のツメを設け引っ掛けて固定する方式、両面テープにて光学シート類を貼り合わせて固定する方式等がよく用いられている。どの固定方式を用いるかは、バックライトの用途や厚みの制約などにより選択されている。
【０００５】
図４は従来技術によるバックライトの分解斜視図である。リフレクタ２５に線状ランプ２６及び導光板２１を取りつけた後、導光板２１及び光学シート２２、２３をバックライト用固定枠２４によって一括して重ねてバックライトユニットとする構造である。（例えば特許文献１参照）
【０００６】
図５は従来技術による光学シートの上面図である。カバーとなる枠体を使用しないバックライトにおいては、光学シート３０に複数個の引っ掛け固定用爪３０ａを設け、受け側のケース（不図示）に爪収納用の穴を設け、何点かで光学シート類を固定する方式である
【０００７】
【特許文献１】
特開２００１−６７００９号公報（第３、５頁、第１、８図）
【０００８】
【発明が解決しようとする課題】
従来技術では、前記導光板上の前記光学シート類を固定する為に固定用の爪と穴を設けたりしているが、穴を空けて固定するだけの厚みスペースが確保できない場合もある。簡便な手段として導光板と光学シートを両面テープにて固定する固定方式を用いていたが、糊の付着等による歩留りの低下、また両面テープ分及び接着作業に伴うコストが別途発生してしまうという課題があった。
【０００９】
【課題を解決するための手段】
前記の課題を解決するために、本発明はまず固定用の前記両面テープを使用しないことを前提とし、少なくとも、ケース、導光板、線状ランプ、ゴムホルダー、光学シートで構成されるバックライトであって、ケースには押さえシートと係合する突起部を設け、ケースに、少なくとも１つの側縁に沿って両端にゴムホルダーを取り付けた線状ランプを配置した導光板と押さえシートを組込むにあたり、ゴムホルダーに導光板上面に被さる庇を設け、庇と導光板の間に押さえシートを組込むバックライトとする。
【００１０】
押さえシートは光学シートであるバックライトとする。
【００１１】
【発明の実施の形態】
以下図面により本発明によるバックライトの実施形態を詳述する。図１及び図２、図３はいずれも本発明の一実施の形態におけるバックライトを示すものであり、図１は本発明を取り入れたバックライトの分解斜視図、図２は図１のバックライトを表示領域方向から見た平面図であり、図３は図２のＡ−Ａ断面図である。
【００１２】
バックライト１は前記受け側ケース７の中に反射シート６を落し込み、１つの側縁に沿って両端にゴムホルダー４、４を取り付けた線状ランプ１４を配置した導光板３を落し込む。５は２芯ハーネスである。導光板３の上には光学シートである拡散シート２ａ、プリズムシート２ｂ、２ｃを組込むよう構成されている。
【００１３】
ケース７は薄板の周囲を起立させてあり、組込む部品を収納できる構造としている。本実施形態では、１側面壁部に光学シートであり押さえシートの役割をするプリズムシート２ｃに形成されたつば部１０と係合する突起部９が２つ形成されている。突起部９の下部壁部にはつば部１０を挿入する穴が形成されている。導光板３には拡散シート２ａとプリズムシート２ｂ、２ｃを収納するシート落し込みエリア１３が形成されている。反射シート６は導光板３の線状ランプ１４を配置する以外の３側面と当接するように起立させてあり、線状ランプ１４から導光板３の側面に到達した光を反射する。
【００１４】
ゴムホルダー４には導光板３の上面に覆い被さる庇１２が形成されている。導光板３の上面と庇１２の間に拡散シート２ａ、プリズムシート２ｂ、２ｃの隅部１１ａ、１１ｂ、１１ｃを挿入し、押さえシートの役割をするプリズムシート２ｃに形成されたつば部１０をケース７に形成された突起部９に係合し、突起部９の下部壁部に形成された穴に挿入することでバックライト１が一体化される。
【００１５】
前記実施形態では導光板の上部に拡散シート２ａ、プリズムシート２ｂ、２ｃを配置しているが、拡散シートとプリズムシートを一体化した光学シート１枚でも拡散シートと１枚のプリズムシートでも同様に本発明を適用することができる。
【００１６】
【発明の効果】
光学シートで押さえシートの代用をすることでバックライトの薄型化ができる。
また、光学シート又は押さえシートに形成されたつば部を挿入固定する為の固定用の爪と穴を設ける厚みスペースが確保できない場合も、ゴムホルダーで代用することにより薄型化が達成できる。
【００１７】
以上説明したように、本発明によれば光学シート類と導光板、ケースの固定方法に両面テープを使わない手段がとれるので製品コストを低減することができる。また両面テープ廃止に伴い、今まで行っていた両面テープ貼り位置ズレ等による貼り替え作業がなくなる為に製造工程内での歩留りを向上することができる。
【図面の簡単な説明】
【図１】本発明を適用したバックライトの分解斜視図
【図２】図１に示すバックライトを表示領域方向から見たときの平面図
【図３】図２のＡ−Ａ線における断面図
【図４】従来技術によるバックライトの分解斜視図
【図５】従来技術による光学シートの上面図
【符号の説明】
１  バックライト
２ａ  拡散シート
２ｂ  プリズムシート
２ｃ  プリズムシート
３  導光板
４  ゴムホルダー
５  ２芯ハーネス
６  反射シート
７  ケース
８  コネクター
９  ケース突起部
１０  プリズムシートのつば部
１１ａ  拡散シートの隅部
１１ｂ  プリズムシートの隅部
１１ｃ  プリズムシートの隅部
１２  ゴムホルダーの庇
１３  光学シートの落し込みエリア
１４  線状ランプ
【図１】
2004319294.tif 000003
【図２】
2004319294.tif 000004
【図３】
2004319294.tif 000005
【図４】
2004319294.tif 000006
【図５】
2004319294.tif 000007